(57)【要約】      （修正有）【課題】駆動電圧変換に関連する一体型の電気素子を交換可能なＬＥＤ照明装置を提供する。【解決手段】ＬＥＤ照明装置は、ハウジング３内に配置され、ＤＣ電圧によって駆動されてハウジング３の光透過部を通して光を放射するＬＥＤユニット４と、ハウジング３内に配置され、外部電源からのＡＣ入力電圧をＤＣ電圧に変換する駆動ユニット５とを含む。駆動ユニット５は、ＬＥＤユニット４に電気的に接続された回路基板５１上に設けられ、ＬＥＤユニット４に電気的に接続されてＤＣ電圧を生成する駆動回路５２と、電圧変換に関連付けられ、回路基板５１に着脱自在に接続され、ハウジング３の挿入孔から露出する一体型の電気素子５３とを含む。【選択図】図２
2013048089.tif 000002
【特許請求の範囲】
【請求項１】
ＬＥＤ照明装置であって、
光透過部を有し、挿入孔を有して形成されたハウジング（３）と、
前記ハウジング（３）内に配置され、ＤＣ電圧によって駆動されて前記ハウジング（３）の前記光透過部を通して光を放射するＬＥＤユニット（４）と、
外部電源からＡＣ入力電圧を受け、受けたＡＣ入力電圧をＤＣ電圧に変換するように構成された駆動ユニット（５）であって、
前記ハウジング（３）内に配置され、前記ＬＥＤユニット（４）に電気的に接続された回路基板（５１）と、
前記回路基板（５１）上に設けられ、ＤＣ電圧を生成し、前記回路基板（５１）を通して前記ＬＥＤユニット（４）に電気的に接続されて前記ＬＥＤユニット（４）にＤＣ電圧を出力する駆動回路（５２）と、
電圧変換に関連付けられ、前記回路基板（５１）を通して前記駆動回路（５）に電気的に接続されるように前記回路基板（５１）に着脱自在に接続される電気素子（５３）であって、前記ハウジング（３）の前記挿入孔から露出する一体型の電気素子（５３）と
を含む駆動ユニット（５）と
を備えることを特徴とするＬＥＤ照明装置。
【請求項２】
前記駆動ユニット（５）が、前記回路基板（５１）上に装着され、前記駆動回路（５２）に電気的に接続された第１の端子座部（５４）をさらに含み、
前記駆動ユニット（５）の前記電気素子（５３）が、
前記ハウジング（３）の前記挿入孔を通して外側に延在するケーシング（５３１）と、
前記ケーシング（５３１）に装着され、前記第１の端子座部（５４）に電気的に接続された第２の端子座部（５３２）と、
前記ケーシング（５３１）内に収容され、前記第２の端子座部（５３２）に電気的に接続され、ＡＣ入力電圧を受けるように構成されたＡＣ−ＤＣコンバータ（５３３）であって、受けたＡＣ入力電圧をＤＣ電圧出力に変換し、前記駆動回路（５２）が前記ＡＣ−ＤＣコンバータ（５３３）のＤＣ電圧出力に基づいてＤＣ電圧を生成するように、前記第１及び第２の端子座部（５４，５３２）を介してＤＣ電圧を前記駆動回路（５２）に出力するＡＣ−ＤＣコンバータ（５３３）と
を含むことを特徴とする、請求項１に記載のＬＥＤ照明装置。
【請求項３】
前記駆動ユニット（５）の前記駆動回路（５２）が、前記ＬＥＤユニット（４）に電気的に接続されて前記電気素子（５３）の前記ＡＣ−ＤＣコンバータ（５３３）から出力されたＤＣ電圧出力をＤＣ電圧に変換してＤＣ電圧を前記ＬＥＤユニット（４）に出力するＤＣ−ＤＣコンバータ（５２１）を含むことをさらに特徴とする、請求項２に記載のＬＥＤ照明装置。
【請求項４】
前記第１の端子座部（５４）が、複数の雄端子（５４１）を含み、
前記第２の端子座部（５３２）が、複数のピンホール（５３２２）を有して形成された座部本体（５３２１）と、前記ピンホール（５３２２）内にそれぞれ設けられた複数の端子とを含み、前記第１の端子座部（５４）の前記雄端子（５４１）が、前記第１の端子座部（５４）の前記雄端子（５４１）が前記第２の端子座部（５３２）の前記端子を電気的にそれぞれ接続させて、それにより前記第２の端子座部（５３２）を前記第１の端子座部（５４）と電気的に接続させるように、前記ピンホール（５３２２）内に着脱自在にそれぞれ挿入されることをさらに特徴とする、請求項２に記載のＬＥＤ照明装置。
【請求項５】
前記ハウジングが、
前記駆動ユニット（５）に電気的に接続されて前記ＡＣ入力電圧を前記駆動ユニット（５）に導電する導電ベース（３４）と、
前記導電ベース（３４）に装着され、内部に前記ＬＥＤユニット（４）と前記駆動ユニット（５）を収容し、前記ハウジング（３）の挿入孔の役割を果たす貫通孔（３２２）を有して形成されたバルブ形状のケーシング（３２）であって、前記導電ベース（３４）の反対側にあって、前記ハウジング（３）の光透過部の役割を果たす光透過端部（３２１）を有するバルブ形状のケーシング（３２）と
を含むことを特徴とする、請求項１に記載のＬＥＤ照明装置。
【請求項６】
前記ハウジングが、
長手方向（Ａ）に延在し、両側の開いた端部と前記光透過部とを有する筒状のケーシング（３１）と、
前記筒状のケーシング（３１）の前記両側の開いた端部にそれぞれ接続され、ＡＣ入力電圧を導電し、前記筒状のケーシング（３１）と協働して前記ＬＥＤユニット（４）及び前記駆動ユニット（５）を収容する内部収容空間（３０）を画定する２つの導電座部（３３）と
を含み、
前記筒状のケーシング（３１）と前記導電座部（３３）の一方が、前記内部収容空間（３０）と空間連通し、前記ハウジング（３）の前記挿入孔としての役割を果たす貫通孔（３３２）を有して形成されていることを特徴とする、請求項１に記載のＬＥＤ照明装置。
【請求項７】
前記ハウジング（３）の前記筒状のケーシング（３１）が、長手方向（Ａ）に延在する相補型ベース及びカバー部（３１１，３１２）を有し、前記カバー部（３１２）が、光透過性で、前記筒状のケーシング（３１）の前記光透過部の役割を果たすことをさらに特徴とする、請求項６に記載のＬＥＤ照明装置。
【請求項８】
前記ハウジング（３）が、
内部に前記ＬＥＤユニット（４）を収容し、前記光透過部を有するランプシェード（３５）と、
前記ランプシェード（３５）に接続され、自身の上に前記ランプシェード（３５）を支持し、内部に前記駆動ユニット（５）を収容するランプスタンド（３６）であって、前記挿入孔を有して形成されたランプスタンド（３６）と
を含むことを特徴とする、請求項１に記載のＬＥＤ照明装置。
【請求項９】
前記ハウジング（３）の前記ランプスタンド（３６）が、
内部に前記駆動ユニット（５）が装着され、前記ハウジング（３）の前記挿入孔の役割を果たす貫通孔（３６１１）を有して形成された中空のベース（３６１）と、
前記ベース（３６１）と前記ランプシェード（３５）とを相互接続する支持棒（３６２）と
を含むことをさらに特徴とする、請求項８に記載のＬＥＤ照明装置。
【請求項１０】
前記ハウジングの前記ランプスタンド（３６）が、
ベース（３６１）と、
前記ベース（３６１）と前記ランプシェード（３５）とを相互接続する支持棒（３６２）と
前記支持棒（３６２）上に固定装着されて駆動ユニット（５）を収容し、前記ハウジング（３）の前記挿入孔の役割を果たす開口（３６３３）を有して形成された主ケース体（３６３１）と、前記主ケース体（３６３１）に回動自在に接続されて前記主ケース体（３６３１）の前記開口（３６３３）を覆うカバー体（３６３２）とを有する電気ボックス（３６３）と
を含むことをさらに特徴とする、請求項８に記載のＬＥＤ照明装置。
【発明の詳細な説明】
【技術分野】
【０００１】
（関連出願への相互参照）
本出願は、参照によりその内容を本明細書に組み込むものとする２０１１年８月５日出願の台湾出願第１００２１４５７０号についての優先権を主張する。
【０００２】
本発明は、照明装置に関し、特に、ＬＥＤ照明装置に関する。
【背景技術】
【０００３】
近年、電力の節約、長寿命、大幅に改善及び向上した発光効率などの利点を有するため、発光ダイオード（ＬＥＤ）が照明器具に徐々に適用されるようになっている。蛍光灯又は電球との直接の交換を容易にするため、ＬＥＤランプ管及びＬＥＤランプバルブは蛍光灯及び電球と同様の形状を有するように設計されている。例えば、台湾実用新案特許第４３２７６８号は、筒状体内に配置されたＬＥＤモジュールと、ＬＥＤモジュールを駆動する筒状体内に配置された駆動モジュールと、筒状体の両側の端部にそれぞれ結合され、駆動モジュールに電気的に接続された２つの導電座部とを含む従来のＬＥＤランプ管を開示している。台湾実用新案特許第４２９８３０号は、バルブ形状体内に配置されたＬＥＤモジュールと、バルブ形状体内に配置された駆動モジュールと、バルブ形状体のベース部分に装着され、駆動モジュールに電気的に接続された導電座部とを含む従来のＬＥＤランプバルブを開示している。
【０００４】
従来のＬＥＤランプ管又はＬＥＤランプバルブでは、駆動モジュールは、ＡＣ−ＤＣコンバータなどのある種の電気素子の損傷のために誤動作することがある。しかし、駆動モジュールは、一般に、ＬＥＤモジュールと共に回路基板上に溶接されているか、又は単一の回路基板モジュールとして設計されているため、駆動モジュール全体の交換は不可避的に必要であり、それにより交換中の不都合と保守コストの上昇とを招く。
【発明の概要】
【発明が解決しようとする課題】
【０００５】
したがって、本発明の目的は、従来技術の上記欠点を克服できるＬＥＤ照明装置を提供することである。
【課題を解決するための手段】
【０００６】
本発明によれば、ＬＥＤ照明装置は、ハウジングと、ＬＥＤユニットと、駆動ユニットとを備える。
【０００７】
ハウジングは、光透過部を有し、挿入孔を有して形成されている。
【０００８】
ＬＥＤユニットは、ハウジング内に配置され、ＤＣ電圧によって駆動されてハウジングの光透過部を通して光を放射する。
【０００９】
駆動ユニットは、外部電源からＡＣ入力電圧を受け、受けたＡＣ入力電圧をＤＣ電圧に変換するように構成されている。駆動ユニットは、回路基板と、駆動回路と、一体型の電気素子とを含む。回路基板は、ハウジング内に配置され、ＬＥＤユニットに電気的に接続されている。回路基板上には、ＤＣ電圧を生成する駆動回路が設けられ、回路基板を通してＬＥＤユニットに電気的に接続され、ＬＥＤユニットにＤＣ電圧を出力する。電気素子は、電圧変換に関連付けられ、電気素子が回路基板を通して駆動回路に電気的に接続されるように、回路基板に着脱自在に接続されている。電気素子は、挿入孔からハウジング内に露出する。
【００１０】
本発明のその他の特徴及び利点は、添付図面を参照しながらの以下の好ましい実施形態の詳細な説明において明らかになる。
【図面の簡単な説明】
【００１１】
【図１】本発明のＬＥＤ照明装置の第１の好ましい実施形態を示す斜視図である。
【図２】第１の好ましい実施形態を示す部分分解斜視図である。
【図３】第１の好ましい実施形態を示す断面図である。
【図４】第１の好ましい実施形態の変形例を示す部分斜視図である。
【図５】本発明のＬＥＤ照明装置の第２の好ましい実施形態を示す部分切取略側面図である。
【図６】本発明のＬＥＤ照明装置の第３の好ましい実施形態を示す部分切取略側面図である。
【図７】本発明のＬＥＤ照明装置の第４の好ましい実施形態を示す部分切取略側面図である。
【発明を実施するための形態】
【００１２】
本発明を詳述する前に、本開示を通して、同様の要素を同じ参照数字で示していることに留意されたい。
【００１３】
図１〜図３を参照すると、ハウジング３と、ＬＥＤユニット４と、駆動ユニット５とを含む本発明のＬＥＤ照明装置の第１の好ましい実施形態が示されている。この実施形態では、ＬＥＤ照明装置はＬＥＤランプ管の形態である。
【００１４】
ハウジング３は、光透過部を有し、挿入孔を有して形成されている。この実施形態では、ハウジング３は細長い筒状のケーシング３１と、２つの導電座部３３とを含む。筒状のケーシング３１は、長手方向（Ａ）に延在し、両側の開いた端部と、光透過部とを有する。筒状のケーシング３１は、長手方向（Ａ）に延在し、互いに接続された相補型ベース及びカバー部３１１、３１２を有する。カバー部３１２は光透過性で、ハウジング３の光透過部としての役割を果たす。２つの導電座部３３は、外部電源（図示せず）からのＡＣ入力電圧を導電するために筒状のケーシング３１の両側の開いた端部にそれぞれ接続され、筒状のケーシング３１と協働して図３に示す内部収容空間３０を画定する。各導電座部３３の上には、外側に延在する２つの導電ピン３３１が搭載されている。導電座部３３の一方は、内部収容空間３０と空間連通し、ハウジング３の挿入孔としての役割を果たす貫通孔３３２を有して形成されている。
【００１５】
ＬＥＤユニット４は、ハウジング３内に配置され、ＤＣ電圧によって駆動されてハウジング３の光透過部、すなわち、筒状のケーシング３１のカバー部３１２を通して光を放射する。この実施形態では、ＬＥＤユニット４は、ハウジング３内の内部収容空間３０内に収容される。ＬＥＤユニット４は、長手方向（Ａ）に延在し、筒状のケーシング３１のベース部３１１上に装着された回路基板４１と、回路基板４１上に装着され、長手方向（Ａ）に沿って配置されたＬＥＤ４２とを含む。
【００１６】
駆動ユニット５は、ハウジング３の導電座部３３を通してＡＣ入力電圧を受け、受けたＡＣ入力電圧をＤＣ電圧に変換するように構成されている。駆動ユニット５は、回路基板５１と、駆動回路５２と、第１の端子座部５４と、一体型の電気素子５３とを含む。
【００１７】
回路基板５１は、内部収容空間３０内に配置され、ＬＥＤユニット４に電気的に接続されている。この実施形態では、回路基板５１は、筒状のケーシング３１のベース部３１１上に装着されている。なお、この実施形態では、回路基板５１及びＬＥＤユニット４の回路基板４１は、単一の回路基板に一体化されていることに留意されたい（図２を参照）。
【００１８】
ＤＣ電圧を生成する駆動回路５２が回路基板５１上に搭載され、回路基板５１を通してＬＥＤユニット４に電気的に接続され、ＬＥＤユニット４にＤＣ電圧を出力する。第１の端子座部５４は、回路基板５１上に装着され、駆動回路５２に電気的に接続されている。この実施形態では、第１の端子座部５４は複数の雄端子５４１を含む。
【００１９】
電気素子５３は、電圧変換に関連付けられ、電気素子５３が回路基板５１を通して駆動回路５２に電気的に接続されるように、回路基板５１に着脱自在に接続されている。図１及び図３に示すように、電気素子５３は、ハウジング３の導電座部３３の一方の貫通孔３３２、すなわち、挿入孔から露出する。この実施形態では、電気素子５３はハウジング３の貫通孔３３２を通して外側に延在するケーシング５３１と、ケーシング５３１に装着された第２の端子座部５３２と、ケーシング５３１内に収容され、第２の端子座部５３２に電気的に接続されたＡＣ−ＤＣコンバータ５３３とを含む。
【００２０】
この実施形態では、電気素子５３の第２の端子座部５３２は、複数のピンホール５３２２を有して形成された座部本体５３２１と、ピンホール５３２２内にそれぞれ設けられた複数の端子（図示せず）とを含む。第１の端子座部５４の雄端子５４１は、第１の端子座部５４の雄端子５４１が第２の端子座部５３２の端子に電気的にそれぞれ接触して電気素子５３の第２の端子座部５３２を第１の端子座部５４に電気的に接触させるように、ピンホール５３２２内に着脱自在にそれぞれ挿入されている。
【００２１】
ＡＣ−ＤＣコンバータ５３３は、ＡＣ入力電圧を受け、受けたＡＣ入力電圧をＤＣ電圧出力に変換し、駆動回路５２がＡＣ−ＤＣコンバータ５３３から出力されたＤＣ電圧出力に基づいてＤＣ電圧を生成するように、第２及び第１の端子座部５３２、５４を介してＤＣ電圧出力を駆動回路５２に出力するように構成されている。
【００２２】
この実施形態では、駆動回路５２は、ＬＥＤユニット４に電気的に接続されて電気素子５３のＡＣ−ＤＣコンバータ５３３から出力されたＤＣ電圧出力をＤＣ電圧に変換してこのＤＣ電圧をＬＥＤユニット４に出力するＤＣ−ＤＣコンバータ５２１を含む。別の実施形態では、ＤＣ−ＤＣコンバータ５２１又は駆動ユニット５の駆動回路５２のその他の任意の電子構成要素は一体型の電気素子５３に一体化できることに留意されたい。
【００２３】
そのような構成では、ＬＥＤ照明装置はＬＥＤランプ管の形態であるため、本発明のＬＥＤ照明装置は従来の蛍光灯管のための従来のランプ装着座部に直接装着される従来の蛍光灯管を導電座部３３に置き換え、それによって使用時の使い易さを提供することができる。さらに、電気素子５３の損傷によってＬＥＤ照明装置が誤動作するとき、損傷した電気素子５３のみを交換すればよいため、保守コストが低減する。加えて、ハウジング３の分解が不要なため、損傷した電気素子５３の交換は容易である。
【００２４】
図４は、第１の好ましい実施形態の変形例を示す。ここで、ハウジング３の筒状のケーシング３１のカバー部３１２は、そこを通して電気素子５３が延在でき、ハウジング３の挿入孔の役割を果たす貫通孔３１２１を有して形成されている。
【００２５】
図５は、第１の好ましい実施形態の変形例である本発明のＬＥＤ照明装置の第２の好ましい実施形態を示す。この実施形態では、ＬＥＤ照明装置はＬＥＤランプバルブの形態である。
【００２６】
ハウジング３は、導電ベース３４と、バルブ形状のケーシング３２とを含む。導電ベース３４は、駆動ユニット５に電気的に接続されてＡＣ入力電圧をそこへ導電する。バルブ形状のケーシング３２は、導電ベース３４に装着され、内部にＬＥＤユニット４と駆動ユニット５を収容し、ハウジング３の挿入孔の役割を果たす貫通孔３２２を有して形成されている。バルブ形状のケーシング３２は、導電ベース３４の反対側にあって、ハウジング３の光透過部の役割を果たす光透過端部３２１を有する。
【００２７】
そのような構成では、ＬＥＤ照明装置はＬＥＤランプバルブの形態であるため、本発明のＬＥＤ照明装置は、導電ベース３４を用いて従来のランプバルブの従来のバルブ装着座部に直接装着される従来のランプバルブにとって代わる。
【００２８】
図６は、第１の好ましい実施形態の別の変形例である本発明のＬＥＤ照明装置の第３の好ましい実施形態を示す。この実施形態では、ＬＥＤ照明装置は卓上ランプの形態である。
【００２９】
ハウジング３は、ランプシェード３５と、ランプスタンド３６とを含む。ランプシェード３５は、内部にＬＥＤユニット４を収容し、ハウジング３の光透過部の役割を果たす光透過板３５１を有する。ランプスタンド３６は、ランプシェード３５に接続され、その上にランプシェード３５を支持し、内部に駆動ユニット５を収容する。この実施形態では、ランプスタンド３６は、内部に駆動ユニット５が装着され、そこを通して電気素子５３が延在でき、ハウジング３の挿入孔の役割を果たす貫通孔３６１１を有して形成されている中空のベース３６１と、ベース３６１とランプシェード３５とを相互接続する支持棒３６２とを含む。
【００３０】
図７は、第３の好ましい実施形態の変形例である本発明のＬＥＤ照明装置の第４の好ましい実施形態を示す。第３の好ましい実施形態と同様、ＬＥＤ照明装置は卓上ランプの形態である。第３の好ましい実施形態とは異なり、ハウジング３のランプスタンド３６は、電気ボックス３６３をさらに含む。電気ボックス３６３は、主ケース体３６３１と、カバー体３６３２とを有する。主ケース体３６３１は、支持棒３６２上に固定装着されて駆動ユニット５を収容し、そこを通して電気素子５３が延在でき、ハウジング３の挿入孔の役割を果たす開口３６３３を有して形成されている。カバー体３６３２は、主ケース体３６３１に回動自在に接続されて主ケース体３６３１の開口３６３３を覆う。
【００３１】
要約すれば、電気素子５３が損傷した場合、損傷した電気素子５３を交換するだけでよい。したがって、本発明のＬＥＤ照明装置では保守コストが低減する。さらに、ハウジング３の挿入孔が存在するために、損傷した電気素子５３の交換は容易に実行できる。
【００３２】
以上、最も実用的で好ましいと考えられる実施形態に関して本発明を説明してきたが、本発明は開示された実施形態に限定されず、最も広い解釈の精神及び範囲内に含まれる様々な構成を含み、そのような変形及び等価構成を含むように意図されている。
【図１】
2013048089.tif 000003
【図２】
2013048089.tif 000004
【図３】
2013048089.tif 000005
【図４】
2013048089.tif 000006
【図５】
2013048089.tif 000007
【図６】
2013048089.tif 000008
【図７】
2013048089.tif 000009
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
ＬＥＤ照明装置であって、
光透過部を有し、挿入孔を有して形成されたハウジングと、
前記ハウジング内に配置され、ＤＣ電圧によって駆動されて前記ハウジングの前記光透過部を通して光を放射するＬＥＤユニットと、
外部電源からＡＣ入力電圧を受け、受けたＡＣ入力電圧をＤＣ電圧に変換するように構成された駆動ユニットであって、
前記ハウジング内に配置され、前記ＬＥＤユニットに電気的に接続された回路基板と、
前記回路基板上に設けられ、ＤＣ電圧を生成し、前記回路基板を通して前記ＬＥＤユニットに電気的に接続されて前記ＬＥＤユニットにＤＣ電圧を出力する駆動回路と、
電圧変換に関連付けられ、前記回路基板を通して前記駆動回路に電気的に接続されるように前記回路基板に着脱自在に接続される電気素子であって、前記ハウジングの前記挿入孔から露出する一体型の電気素子と
を含む駆動ユニットと
を備えることを特徴とするＬＥＤ照明装置。
【請求項２】
前記駆動ユニットが、前記回路基板上に装着され、前記駆動回路に電気的に接続された第１の端子座部をさらに含み、
前記駆動ユニットの前記電気素子が、
前記ハウジングの前記挿入孔を通して外側に延在するケーシングと、
前記ケーシングに装着され、前記第１の端子座部に電気的に接続された第２の端子座部と、
前記ケーシング内に収容され、前記第２の端子座部に電気的に接続され、ＡＣ入力電圧を受けるように構成されたＡＣ−ＤＣコンバータであって、受けたＡＣ入力電圧をＤＣ電圧出力に変換し、前記駆動回路が前記ＡＣ−ＤＣコンバータのＤＣ電圧出力に基づいてＤＣ電圧を生成するように、前記第１及び第２の端子座部を介してＤＣ電圧を前記駆動回路に出力するＡＣ−ＤＣコンバータと
を含むことを特徴とする、請求項１に記載のＬＥＤ照明装置。
【請求項３】
前記駆動ユニットの前記駆動回路が、前記ＬＥＤユニットに電気的に接続されて前記電気素子の前記ＡＣ−ＤＣコンバータから出力されたＤＣ電圧出力をＤＣ電圧に変換してＤＣ電圧を前記ＬＥＤユニットに出力するＤＣ−ＤＣコンバータを含むことをさらに特徴とする、請求項２に記載のＬＥＤ照明装置。
【請求項４】
前記第１の端子座部が、複数の雄端子を含み、
前記第２の端子座部が、複数のピンホールを有して形成された座部本体と、前記ピンホール内にそれぞれ設けられた複数の端子とを含み、前記第１の端子座部の前記雄端子が、前記第１の端子座部の前記雄端子が前記第２の端子座部の前記端子を電気的にそれぞれ接続させて、それにより前記第２の端子座部を前記第１の端子座部と電気的に接続させるように、前記ピンホール内に着脱自在にそれぞれ挿入されることをさらに特徴とする、請求項２に記載のＬＥＤ照明装置。
【請求項５】
前記ハウジングが、
前記駆動ユニットに電気的に接続されて前記ＡＣ入力電圧を前記駆動ユニットに導電する導電ベースと、
前記導電ベースに装着され、内部に前記ＬＥＤユニットと前記駆動ユニットを収容し、前記ハウジングの挿入孔の役割を果たす貫通孔を有して形成されたバルブ形状のケーシングであって、前記導電ベースの反対側にあって、前記ハウジングの光透過部の役割を果たす光透過端部を有するバルブ形状のケーシングと
を含むことを特徴とする、請求項１に記載のＬＥＤ照明装置。
【請求項６】
前記ハウジングが、
長手方向に延在し、両側の開いた端部と前記光透過部とを有する筒状のケーシングと、
前記筒状のケーシングの前記両側の開いた端部にそれぞれ接続され、ＡＣ入力電圧を導電し、前記筒状のケーシングと協働して前記ＬＥＤユニット及び前記駆動ユニットを収容する内部収容空間を画定する２つの導電座部と
を含み、
前記筒状のケーシングと前記導電座部の一方が、前記内部収容空間と空間連通し、前記ハウジングの前記挿入孔としての役割を果たす貫通孔を有して形成されていることを特徴とする、請求項１に記載のＬＥＤ照明装置。
【請求項７】
前記ハウジングの前記筒状のケーシングが、長手方向に延在する相補型ベース及びカバー部を有し、前記カバー部が、光透過性で、前記筒状のケーシングの前記光透過部の役割を果たすことをさらに特徴とする、請求項６に記載のＬＥＤ照明装置。
【請求項８】
前記ハウジングが、
内部に前記ＬＥＤユニットを収容し、前記光透過部を有するランプシェードと、
前記ランプシェードに接続され、自身の上に前記ランプシェードを支持し、内部に前記駆動ユニットを収容するランプスタンドであって、前記挿入孔を有して形成されたランプスタンドと
を含むことを特徴とする、請求項１に記載のＬＥＤ照明装置。
【請求項９】
前記ハウジングの前記ランプスタンドが、
内部に前記駆動ユニットが装着され、前記ハウジングの前記挿入孔の役割を果たす貫通孔を有して形成された中空のベースと、
前記ベースと前記ランプシェードとを相互接続する支持棒と
を含むことをさらに特徴とする、請求項８に記載のＬＥＤ照明装置。
【請求項１０】
前記ハウジングの前記ランプスタンドが、
ベースと、
前記ベースと前記ランプシェードとを相互接続する支持棒と
前記支持棒上に固定装着されて駆動ユニットを収容し、前記ハウジングの前記挿入孔の役割を果たす開口を有して形成された主ケース体と、前記主ケース体に回動自在に接続されて前記主ケース体の前記開口を覆うカバー体とを有する電気ボックスと
を含むことをさらに特徴とする、請求項８に記載のＬＥＤ照明装置。
【外国語明細書】
2013048089000001.pdf
2013048089000002.pdf
2013048089000003.pdf
2013048089000004.pdf